(57)【要約】【課題】  操作がし易く、澄んだ金属音を発生できる打楽器用スティックを提供すること。【解決手段】  打楽器の演奏に用いられる打楽器用スティック１０を、叩打部１１と、把持部１２と、重さ調節用のバランサー１５ａ，１５ｂとで構成した。叩打部１１は金属製の棒で構成し、把持部１２は叩打部１１の後端部に固定されて叩打部１１の後方に延びる樹脂製の棒で構成した。また、バランサー１５ａ，１５ｂは把持部１２に設けた。【選択図】  図２
0003207927.tif 000002
【実用新案登録請求の範囲】
【請求項１】
打楽器の演奏に用いられる打楽器用スティックであって、金属製の棒からなる叩打部と、前記叩打部の後端部に固定されて前記叩打部の後方に延びる樹脂製の棒からなる把持部と、前記把持部に設けられた重さ調節用の重りとを備えたことを特徴とする打楽器用スティック。
【請求項２】
前記把持部が、前記叩打部の後端部が挿入固定された筒状に形成され、前記重りが前記把持部内に設置されている請求項１に記載の打楽器用スティック。
【請求項３】
前記把持部が、前記叩打部の後端部を覆った状態で支持する支持部と、前記支持部の後方に位置して演奏者の手で握られる把持部本体とで構成され、前記支持部の軸方向に直交する断面の外周縁部の形状が多角形で、前記把持部本体の軸方向に直交する断面の外周縁部の形状が円形になっている請求項１または２に記載の打楽器用スティック。
【請求項４】
前記把持部の表面に滑り止め加工が施されている請求項１ないし３のうちのいずれか一つに記載の打楽器用スティック。
【請求項５】
前記叩打部がステンレスで構成され、前記把持部が紫外線硬化樹脂またはエンジニアリングプラスチックで構成されている請求項１ないし４のうちのいずれか一つに記載の打楽器用スティック。
【請求項６】
前記叩打部は、直径が２〜１０ｍｍで、軸方向の長さが１００〜２００ｍｍに設定され、前記把持部は、軸方向に直交する断面の幅が１０〜２０ｍｍで、軸方向の長さが１００〜２００ｍｍに設定されている請求項１ないし５のうちのいずれか一つに記載の打楽器用スティック。
【請求項７】
前記打楽器が金属製の被叩打部を備えたものである請求項１ないし６のうちのいずれか一つに記載の打楽器用スティック。
【考案の詳細な説明】
【技術分野】
【０００１】
本考案は、打楽器の演奏に用いられる打楽器用スティックに関する。
【背景技術】
【０００２】
従来から、スティックで叩打することで音を発生する打楽器が演奏に用いられている（例えば、特許文献１参照）。この打楽器は、２つの支持部材の両端部間に、それぞれ横断部材を掛け渡して略四角枠状に連結するとともに、複数の中空管を平行させた状態で２つの支持部材を横切るように配置して構成されている。また、バチ（スティック）は、凹部が形成されたバチ端部と、バチ端部の凹部に嵌合したシャフトとで構成されており、バチ端部はポリウレタンからなり、シャフトは木またはアクリル樹脂からなっている。そして、このバチのバチ端部で中空管を叩打することで打楽器は音を発生する。
【先行技術文献】
【特許文献】
【０００３】
【特許文献１】特表２０１５−５０６４８６号公報
【考案の概要】
【０００４】
打楽器の中には、トライアングルやウィンドチャイムのように、澄んだ金属音を発生するために、スティックを細長い金属棒で構成し、その金属棒の周面で打楽器を叩打するものがある。また、スティックは、単に、打楽器の被叩打部を叩打する部分と、手で持つ部分があるだけでなく、手で操作し易いように適度な重さや重量バランスを備えていることが好ましい。しかしながら、前述した従来のスティックでは、このようなことは考慮されていない。
【０００５】
本考案は、前述した問題に対処するためになされたもので、その目的は、操作がし易く、澄んだ金属音を発生できる打楽器用スティックを提供することである。なお、下記本考案の各構成要件の記載においては、本考案の理解を容易にするために、実施形態の対応箇所の符号を括弧内に記載しているが、本考案の構成要件は、実施形態の符号によって示された対応箇所の構成に限定解釈されるべきものではない。
【０００６】
前述した目的を達成するため、本考案に係る打楽器用スティックの構成上の特徴は、打楽器の演奏に用いられる打楽器用スティック（１０）であって、金属製の棒からなる叩打部（１１）と、叩打部の後端部に固定されて叩打部の後方に延びる樹脂製の棒からなる把持部（１２）と、把持部に設けられた重さ調節用の重り（１５ａ，１５ｂ）とを備えたことにある。
【０００７】
本考案に係る打楽器用スティックは、叩打部と把持部を備えており、叩打部は金属製の棒で構成され、把持部は樹脂製の棒で構成されている。このため、演奏時には、把持部を手で持って、金属製の棒からなる叩打部で打楽器の被叩打部を叩打するため、操作がし易くなるとともに、良好な金属音が発生するようになる。また、本考案に係る打楽器用スティックは、前部の叩打部が金属で、後部の把持部が樹脂であるため、手で持つ後部よりも前部の方が重くなるが、把持部に重さ調節用の重りが設けられているため、打楽器用スティックは全体の重さを適度な重さにすることができるとともに、前後の重量バランスをよくすることができる。
【０００８】
この重りは１つであっても複数であってもよく、打楽器用スティックの前後方向の重心が把持部の前部側に位置するように配置されていることが好ましい。なお、本考案においては、打楽器用スティックの前後の方向は、演奏者から見た方向とし、演奏者から離れた叩打部が前部で演奏者に近い把持部が後部であるとする。また、本考案に係る叩打部の後端部には、所定の長さを備えた後端側部分も含むものとする。
【０００９】
本考案に係る打楽器用スティックの他の構成上の特徴は、把持部が、叩打部の後端部が挿入固定された筒状に形成され、重りが把持部内に設置されていることにある。本考案によると、把持部を筒状にすることにより、材料費を安価にしながら重りを収容するための空間を形成することができる。また、打楽器用スティックの重心を把持部内に位置させることができるため、打楽器用スティックの重量バランスを、長手方向だけでなく、軸周り方向でも調節できるようになる。このため、打楽器用スティックを軸周り方向のどの位置に位置させて持っても違和感なく使用することができる。
【００１０】
本考案に係る打楽器用スティックのさらに他の構成上の特徴は、把持部が、叩打部の後端部を覆った状態で支持する支持部（１３）と、支持部の後方に位置して演奏者の手で握られる把持部本体（１２ａ）とで構成され、支持部の軸方向に直交する断面の外周縁部の形状が多角形で、把持部本体の軸方向に直交する断面の外周縁部の形状が円形になっていることにある。
【００１１】
本考案によると、打楽器用スティックは、演奏者が手で持つ把持部本体の断面形状の外周縁部が円形であるため持ち易くなり、把持部の前端側の支持部の断面形状の外周縁部の形状が多角形になっているため、打楽器用スティックを所定の場所に置いたときに転がることが防止される。この場合の多角形は、三角形から六角形程度の多角形であることが好ましい。
【００１２】
本考案に係る打楽器用スティックのさらに他の構成上の特徴は、把持部の表面に滑り止め加工が施されていることにある。本考案によると、演奏中に手が打楽器用スティックから滑って打楽器用スティックを離すことが防止される。この滑り止め加工は、把持部の表面を塗装するものでもよいし、粗面に加工するものでもよい。
【００１３】
本考案に係る打楽器用スティックのさらに他の構成上の特徴は、叩打部がステンレスで構成され、把持部が紫外線硬化樹脂またはエンジニアリングプラスチックで構成されていることにある。叩打部をステンレスで構成することで、錆の発生が無く、強度も大きくなるため、叩打部の長寿命化が図れる。また、紫外線硬化樹脂またはエンジニアリングプラスチックは、３Ｄプリンターによる成形に適した材料であるため、把持部を紫外線硬化樹脂またはエンジニアリングプラスチックで構成することで大掛かりな装置を用いることなく、打楽器用スティックを製造できる。
【００１４】
本考案に係る打楽器用スティックのさらに他の構成上の特徴は、叩打部は、直径が２〜１０ｍｍで、軸方向の長さが１００〜２００ｍｍに設定され、把持部は、軸方向に直交する断面の幅が１０〜２０ｍｍで、軸方向の長さが１００〜２００ｍｍに設定されていることにある。本考案によると、より好ましいサイズの打楽器用スティックを得ることができる。なお、本考案に係る打楽器用スティックは、サイズの異なる複数のものをセットとして用いてもよい。
【００１５】
本考案に係る打楽器用スティックのさらに他の構成上の特徴は、打楽器が金属製の被叩打部を備えたものであることにある。この場合の打楽器としては、トライアングルやツリーチャイムなどを用いることができ、これによると特に、金属どうしの衝突により、より澄んだ金属音を発生できる。
【図面の簡単な説明】
【００１６】
【図１】本考案の一実施形態に係る打楽器用スティックを示しており、（ａ）は平面図、（ｂ）は側面図、（ｃ）は背面図である。
【図２】図１（ｂ）の２−２断面図である。
【考案を実施するための形態】
【００１７】
以下、本考案の一実施形態を図面を用いて説明する。図１（ａ）〜（ｃ）および図２は、同実施形態に係る打楽器用スティック１０を示している。以下の説明においては、図１（ａ），（ｂ）および図２の左側が前方で、右側が後方であるとする。打楽器用スティック１０は、前側に位置する叩打部１１と、後側に位置する把持部１２と、把持部１２に設けられた２個のバランサー１５ａ，１５ｂとで構成されている。
【００１８】
叩打部１１は、ステンレス製の細長い丸棒からなっており、前端面１１ａは、面取り加工によって半球状の凸曲面に形成されている。また、叩打部１１の後端には、略球形の抜け止め部１１ｂが形成されている。この叩打部１１は、前後の長さ（全長）が、１７５ｍｍで、抜け止め部１１ｂを除いた部分の直径が６ｍｍで、抜け止め部１１ｂは潰し加工が施されて最大幅が叩打部１１の他の部分よりも太くなっている。
【００１９】
把持部１２は、紫外線硬化樹脂製の筒状の成形体からなっており、把持部本体１２ａと、把持部本体１２ａの前側に位置する支持部１３とが一体になって形成されている。把持部本体１２ａは円筒状に形成され、支持部１３は断面形状の外縁部が略四角形で内縁部が円形の筒状に形成されている。支持部１３の上下方向の長さおよび左右方向の長さは、それぞれ把持部本体１２ａの外径よりも少し長くなっており、このため、支持部１３の各角部分は把持部本体１２ａの外周面よりも外周側に突出している。
【００２０】
また、支持部１３は、底面１３ａ、側面１３ｂ，１３ｃ、上面１３ｄおよび前面１３ｅを備えており、側面１３ｂ，１３ｃと上面１３ｄとの間にはそれぞれテーパ面１４ａが形成され、側面１３ｂ，１３ｃおよび上面１３ｄと、前面１３ｅとの間にはそれぞれテーパ面１４ｂが形成されている。また、側面１３ｂ，１３ｃおよび上面１３ｄの後部は、それぞれ滑らかな曲面１４ｃを介して把持部本体１２ａの外周面に繋がっている。この把持部１２は、前後の長さが１５０ｍｍになっており、そのうち、支持部１３の前後の長さ（支持部１３内の穴部の長さと同じ）は２２．５ｍｍになっている。また、把持部本体１２ａは、外径が１４ｍｍで、内径が１０ｍｍになっており、支持部１３は、上下方向および左右方向の長さがそれぞれ１５ｍｍで、内径が６ｍｍになっている。
【００２１】
このため、把持部本体１２ａの内周面と、支持部１３の内周面との間には段部１２ｂが形成されている。また、把持部１２の表面には、滑り止めおよび装飾性を高めるためのシボ塗装が施されている。前述した叩打部１１は、前端面１１ａ側から把持部１２の後端開口内に挿入され抜け止め部１１ｂを段部１２ｂに係合させて支持部１３の前方に突出した状態で把持部１２に組み付けられる。そして、叩打部１１の支持部１３内に位置する部分は弾性接着剤で支持部１３の穴の周面に固定されている。このとき、叩打部１１の把持部１２から突出した部分の軸方向の長さは１５０ｍｍになっており、この軸方向の長さが本考案に係る叩打部１１の軸方向の長さである。
【００２２】
バランサー１５ａ，１５ｂは、ともに金属、例えばステンレス製の丸棒を所定の長さに切断した部材で構成されており、バランサー１５ａは、直径が１０ｍｍで、軸方向の長さが１５ｍｍに設定され、バランサー１５ｂは、直径が１０ｍｍで、軸方向の長さが１０ｍｍに設定されている。バランサー１５ａは、外周面に接着剤を塗布したのちに、把持部１２の後部開口から把持部１２の内部に圧入され、前端面が叩打部１１の抜け止め部１１ｂに当接した状態で固定されている。
【００２３】
これによって、叩打部１１は、把持部１２により強固に固定される。また、バランサー１５ｂは、外周面に接着剤を塗布したのちに、把持部１２の後部開口に圧入され、把持部１２の後部開口を塞いだ状態で固定されている。これによって、打楽器用スティック１０は適度な重さになるとともに、バランサー１５ａの近傍部分に重心が位置するようになる。なお、このバランサー１５ａ，１５ｂによって本考案に係る重りが構成される。
【００２４】
このように構成された打楽器用スティック１０を用いて、打楽器、例えば、ツリーチャイムを演奏する際には、把持部本体１２ａを持って叩打部１１でツリーチャイムの金属棒からなる被叩打部を順次叩打していくことで、任意の楽曲の演奏ができる。この場合、ステンレスからなる叩打部１１と金属からなる叩打部との衝撃によって耳障りのよい金属音が発生する。また、バランサー１５ａ，１５ｂが設けられていることで、打楽器用スティック１０は、適度の重さになるとともに、前後の重量バランスが良好なものになって演奏しやすくなる。さらに、把持部１２の表面にはシボ塗装が施されているため、演奏中に把持部１２が手から滑り難くなる。
【００２５】
以上のように、本実施形態に係る打楽器用スティック１０では、叩打部１１がステンレス製の細い棒で構成され、把持部１２が紫外線硬化樹脂製の筒体で構成されている。このため、把持部１２は３Ｄプリンターにより容易に形成でき、把持部１２に叩打部１１を組み付ける際には、叩打部１１を把持部１２の後部開口から挿し込んで接着剤で固定することで済む。そして、外周面に接着剤を塗布したバランサー１５ａ，１５ｂを把持部１２内に押し込むことで、バランサー１５ａ，１５ｂを把持部１２内に固定できるとともに、バランサー１５ａによって叩打部１１をさらに確実に固定することができる。
【００２６】
このように、打楽器用スティック１０は、簡単な方法で堅ろうに製造でき、得られた打楽器用スティック１０を用いて、ツリーチャイムを演奏する際には、重量バランスがよいため演奏しやすくなるとともに、良好な金属音が発生する。また、支持部１３が略四角形の筒状に形成され、その底面１３ａは他の面よりも大きな平面に形成されているため、不使用時に、底面１３ａを下方に向けて打楽器用スティック１０を台の上などに置いたときに安定した状態に維持される。また、支持部１３の他の面を下方に向けた場合であっても、打楽器用スティック１０が台から転がり落ちたり、転がって手の届かない場所に移動したりすることがない。
【００２７】
また、本考案に係る打楽器用スティックは、前述した実施形態に限定するものでなく、適宜、変更して実施することが可能である。例えば、打楽器用スティック１０の各部分の長さとして、叩打部１１は、直径を２ｍｍとして、軸方向の長さを１００ｍｍとし、把持部１２は、軸方向に直交する断面の幅を１０ｍｍとして、軸方向の長さを１００ｍｍとしてもよい。また、叩打部１１は、直径を１０ｍｍとして、軸方向の長さを２００ｍｍとし、把持部１２は、軸方向に直交する断面の幅を２０ｍｍとして、軸方向の長さを２００ｍｍに設定してもよい。さらに、前述した大きさの異なる２つの打楽器用スティックの中間の大きさにしてもよい。また、それらの大きさの異なる複数の打楽器用スティックをセットとして用いてもよい。
【００２８】
また、前述した実施形態では、把持部１２を筒状にして、その内部にバランサー１５ａ，１５ｂを設置しているが、把持部１２の外周面にリング状の重りを取付けてもよい。この場合、把持部は筒状でも、中空部のない棒状であってもよい。また、バランサー１５ａを省略して、把持部１２の後部に設置されたバランサー１５ｂだけを用いてもよい。この場合、バランサー１５ｂの大きさを調節して、打楽器用スティック全体の重量バランスが良くなるようにする。さらに、３つ以上の重りを用いてもよい。
【００２９】
さらに、支持部１３の軸方向に直交する断面の外周縁部の形状は、四角形に限らず三角形でも五角形以上の多角形でもよい。要は、支持部１３に打楽器用スティックが転がることを防止できる程度の平面部が備わっていればよい。また、把持部１２を構成する材料は、紫外線硬化樹脂に代えてエンジニアリングプラスチックを用いてもよいし、それ以外の樹脂材料を用いてもよい。さらに、打楽器としては、トライアングル、エナジーチャイム、コンサートチャイム、シンバルなどを用いることができ、それ以外の打楽器に用いることもできる。また、本考案に係る打楽器用スティックは、前述した構成以外の部分についても、本考案の技術的範囲で、適宜変更することができる。
【符号の説明】
【００３０】
１０…打楽器用スティック、１１…叩打部、１２…把持部、１２ａ…把持部本体、１３…支持部、１５ａ，１５ｂ…バランサー。
【図１】
0003207927.tif 000003
【図２】
0003207927.tif 000004